(57)【要約】【課題】画像形成装置の記憶領域の空き容量を減少させない画像形成システム、及び画像形成装置を提供する。【解決手段】携帯端末２００は、画像形成装置１００にプレビュー画像要求通知を送信するプレビュー画像要求処理部２１０ｂと、画像形成装置１００に印刷画像要求通知を送信する印刷画像要求処理部２１０ｄとを備える。画像形成装置１００は、携帯端末２００からプレビュー画像要求通知を受信すると保存している画像からプレビュー画像を作成するプレビュー画像作成処理部１１０ｂと、プレビュー画像を携帯端末２００に送信するとプレビュー画像を削除するプレビュー画像送信処理部１１０ｃと、携帯端末２００から印刷画像要求通知を受信すると保存している画像から印刷画像を作成する印刷画像作成処理部１１０ｄと、印刷画像を携帯端末２００に送信すると印刷画像を削除する印刷画像送信処理部１１０ｅを備える。【選択図】図２
2016158141.tif 000002
【特許請求の範囲】
【請求項１】
携帯端末と、
画像形成装置とを有し、
前記携帯端末は、前記画像形成装置に出力画像を要求する出力画像要求通知を送信する出力画像要求部を備え、
前記画像形成装置は、
前記携帯端末から前記出力画像要求通知を受信すると、前記出力画像要求通知による要求に応じて、それぞれ異なる出力形式に対応する複数の出力画像を作成する複数の出力画像作成処理部と、
前記複数の出力画像作成処理部が作成した前記出力画像を前記携帯端末に送信し、送信した前記出力画像を削除する複数の出力画像送信処理部と
を備えることを特徴とする画像形成システム。
【請求項２】
前記出力画像要求部は、
前記画像形成装置に第１の出力形式に対応する第１の出力画像を要求する第１の出力画像要求通知を送信する第１の出力画像要求処理部と、
前記画像形成装置に第２の出力形式に対応する第２の出力画像を要求する第２の出力画像要求通知を送信する第２の出力画像要求処理部と
を備え、
前記複数の出力画像作成処理部は、
前記携帯端末から前記第１の出力画像要求通知を受信すると保存している画像から第１の出力画像を作成する第１の出力画像作成処理部と、
前記携帯端末から前記第２の出力画像要求通知を受信すると保存している画像から第２の出力画像を作成する第２の出力画像作成処理部と
を含み、
前記複数の画像送信処理部は、
前記第１の出力画像作成処理部が作成した前記第１の出力画像を前記携帯端末に送信し、送信した前記第１の出力画像を削除する第１の出力画像送信処理部と、
前記第２の出力画像作成処理部が作成した前記第２の出力画像を前記携帯端末に送信し、送信した前記第２の出力画像を削除する第２の出力画像送信処理部と、
を含むことを特徴とする請求項１に記載の画像形成システム。
【請求項３】
前記携帯端末は、前記画像形成装置から受信したプレビュー画像を表示するプレビュー画像表示処理部を備え、
前記第１の出力画像要求処理部は、前記画像形成装置にプレビュー画像を要求するプレビュー画像要求通知を送信し、
前記第２の出力画像要求処理部は、前記画像形成装置に印刷画像を要求する印刷画像要求通知を送信し、
前記第１の出力画像作成処理部は、前記携帯端末から前記プレビュー画像要求通知を受信すると保存している画像からプレビュー画像を作成し、
前記第２の出力画像作成処理部は、前記携帯端末から前記印刷画像要求通知を受信すると保存している画像から印刷画像を作成し、
前記第１の出力画像送信処理部は、前記第１の出力画像作成処理部が作成した前記プレビュー画像を前記携帯端末に送信し、送信した前記プレビュー画像を削除し、
前記第２の出力画像送信処理部は、前記第２の出力画像作成処理部が作成した前記印刷画像を前記携帯端末に送信し、送信した前記印刷画像を削除することを特徴とする請求項２に記載の画像形成システム。
【請求項４】
前記出力画像要求通知に応じて、前記複数の出力画像作成処理部の全てが、対応する出力形式の出力画像を作成することを特徴とする請求項１から請求項３のいずれか１項に記載の画像形成システム。
【請求項５】
前記出力画像要求通知は１または複数の出力形式を指定する指示を含み、
前記出力画像要求通知により、指定された出力形式に対応する出力画像作成処理部が出力画像を作成することを特徴とする請求項１に記載の画像形成システム。
【請求項６】
前記携帯端末は、
前記画像形成装置に原稿の読み取りと読み取った前記原稿の画像を保存するように要求する原稿画像保存要求通知を送信する原稿画像保存要求処理部を備えることを特徴とする請求項１から請求項５のいずれか１項に記載の画像形成システム。
【請求項７】
前記画像形成装置は、
前記原稿画像保存要求通知を受信すると原稿の原稿イメージを読み取り、原稿イメージを画像処理した前記原稿の画像を保存することを特徴とする請求項６に記載の画像形成システム。
【請求項８】
携帯端末から出力画像要求通知を受信すると、前記出力画像要求通知による要求に応じて、それぞれ異なる出力形式に対応する複数の出力画像を作成する複数の出力画像作成処理部と、
前記複数の出力画像作成処理部が作成した前記出力画像を前記携帯端末に送信し、送信した前記出力画像を削除する複数の出力画像送信処理部と
を備えることを特徴とする画像形成装置。
【請求項９】
前記携帯端末から原稿画像保存要求通知を受信すると原稿の原稿イメージを読み取り、原稿イメージを画像処理した前記原稿の画像を保存することを特徴とする請求項８に記載の画像形成装置。
【発明の詳細な説明】
【技術分野】
【０００１】
本発明は、携帯端末から操作が可能な画像形成装置を有する画像形成システム、及び画像形成装置に関する。
【背景技術】
【０００２】
プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、読み取った原稿の画像から作成するプレビューの画像（以下、「プレビュー画像」という）を携帯電話、スマートフォン、又はタブレット端末などの携帯端末に無線通信により送信することができる。また、携帯端末が画像形成装置からプレビュー画像を受信し、携帯端末の操作パネルにプレビュー画像を表示することで、ユーザーは手元の携帯端末でプレビュー画像を確認することができる。例えば、特許文献１の印刷システム、印刷装置、および印刷方法では、印刷装置（画像形成装置）とネットワークを介して接続されているパソコン、情報端末、ファクシミリなどの外部機器（携帯端末）から印刷装置に対してリモートアクセスにより印刷プレビュー要求を送信すると、印刷装置が外部機器の表示機能に応じた印刷プレビュー画像を作成して外部機器に適正な印刷プレビュー画像を表示できるようにしている。また、印刷装置が外部機器に印刷プレビュー画像を供給した後に外部機器からの印刷実行指示が無い状態で一定時間が経過したときに、印刷プレビュー要求に係る画像や印刷プレビュー画像を消去（削除）するようにしている。
【先行技術文献】
【特許文献】
【０００３】
【特許文献１】特開２００４−１９２１６２号公報
【発明の概要】
【発明が解決しようとする課題】
【０００４】
しかし、特許文献１では、外部機器からの印刷実行指示が無い状態で一定時間が経過したときに、印刷プレビュー要求に係る画像や印刷プレビュー画像を消去しているが、印刷実行指示があるときには、印刷プレビュー要求に係る画像や印刷プレビュー画像を消去していない。このため、印刷装置に印刷プレビュー要求に係る画像や印刷プレビュー画像が記憶されたままとなるので、印刷装置のメモリーやディスクの空き容量が減少するという問題があった。
【０００５】
本発明はこのような状況に鑑みてなされたものであり、上記課題を解決できる画像形成システム、及び画像形成装置を提供することを目的とする。
【課題を解決するための手段】
【０００６】
本発明の画像形成システムは、携帯端末と、画像形成装置とを有し、前記携帯端末は、前記画像形成装置に出力画像を要求する出力画像要求通知を送信する出力画像要求部を備え、前記画像形成装置は、前記携帯端末から前記出力画像要求通知を受信すると、前記出力画像要求通知による要求に応じて、それぞれ異なる出力形式に対応する複数の出力画像を作成する複数の出力画像作成処理部と、前記複数の出力画像作成処理部が作成した前記出力画像を前記携帯端末に送信し、送信した前記出力画像を削除する複数の出力画像送信処理部とを備えることを特徴としている。
また、本発明の画像形成システムの前記出力画像要求部は、前記画像形成装置に第１の出力形式に対応する第１の出力画像を要求する第１の出力画像要求通知を送信する第１の出力画像要求処理部と、前記画像形成装置に第２の出力形式に対応する第２の出力画像を要求する第２の出力画像要求通知を送信する第２の出力画像要求処理部とを備え、前記複数の出力画像作成処理部は、前記携帯端末から前記第１の出力画像要求通知を受信すると保存している画像から第１の出力画像を作成する第１の出力画像作成処理部と、前記携帯端末から前記第２の出力画像要求通知を受信すると保存している画像から第２の出力画像を作成する第２の出力画像作成処理部とを含み、前記複数の画像送信処理部は、前記第１の出力画像作成処理部が作成した前記第１の出力画像を前記携帯端末に送信し、送信した前記第１の出力画像を削除する第１の出力画像送信処理部と、前記第２の出力画像作成処理部が作成した前記第２の出力画像を前記携帯端末に送信し、送信した前記第２の出力画像を削除する第２の出力画像送信処理部と、を含むことを特徴としている。
また、本発明の画像形成システムの前記携帯端末は、前記画像形成装置から受信したプレビュー画像を表示するプレビュー画像表示処理部を備え、前記第１の出力画像要求処理部は、前記画像形成装置にプレビュー画像を要求するプレビュー画像要求通知を送信し、前記第２の出力画像要求処理部は、前記画像形成装置に印刷画像を要求する印刷画像要求通知を送信し、前記第１の出力画像作成処理部は、前記携帯端末から前記プレビュー画像要求通知を受信すると保存している画像からプレビュー画像を作成し、前記第２の出力画像作成処理部は、前記携帯端末から前記印刷画像要求通知を受信すると保存している画像から印刷画像を作成し、前記第１の出力画像送信処理部は、前記プレビュー画像作成処理部が作成した前記第１の出力画像を前記携帯端末に送信し、送信した前記プレビュー画像を削除し、前記第２の出力画像送信処理部は、前記第２の出力画像作成処理部が作成した前記印刷画像を前記携帯端末に送信し、送信した前記印刷画像を削除することを特徴としている。
また、本発明の画像形成システムは、前記出力画像要求通知に応じて、前記複数の出力画像作成処理部の全てが、対応する出力形式の出力画像を作成することを特徴としている。
また、本発明の画像形成システムは、前記出力画像要求通知は１または複数の出力形式を指定する指示を含み、前記出力画像要求通知により、指定された出力形式に対応する出力画像作成処理部が出力画像を作成することを特徴としている。
また、本発明の画像形成システムの前記携帯端末は、前記画像形成装置に原稿の読み取りと読み取った前記原稿の画像を保存するように要求する原稿画像保存要求通知を送信する原稿画像保存要求処理部を備えることを特徴としている。
また、本発明の画像形成システムの前記画像形成装置は、前記原稿画像保存要求通知を受信すると原稿の原稿イメージを読み取り、原稿イメージを画像処理した前記原稿の画像を保存することを特徴としている。
本発明の画像形成装置は、携帯端末から出力画像要求通知を受信すると、前記出力画像要求通知による要求に応じて、それぞれ異なる出力形式に対応する複数の出力画像を作成する複数の出力画像作成処理部と、前記複数の出力画像作成処理部が作成した前記出力画像を前記携帯端末に送信し、送信した前記出力画像を削除する複数の出力画像送信処理部と
を備えることを特徴としている。
また、本発明の画像形成装置は、前記携帯端末から原稿画像保存要求通知を受信すると原稿の原稿イメージを読み取り、原稿イメージを画像処理した前記原稿の画像を保存することを特徴としている。
【発明の効果】
【０００７】
本発明の画像形成システム、及び画像形成装置は、画像形成装置が保存している画像から作成するプレビュー画像及び印刷用の画像（以下、「印刷画像」という）を携帯端末だけに記憶することで、画像形成装置の記憶領域の空き容量を減少させないようにし、更にどの画像形成装置からでも携帯端末が記憶している印刷画像の印刷やＦＡＸ送信を行うことができる。
【図面の簡単な説明】
【０００８】
【図１】本発明の実施形態に係る画像形成システムの構成を示す図である。
【図２】図１に示す画像形成システムの画像形成装置と携帯端末の機能構成を示す図である。
【図３】本発明の実施形態に係る画像形成装置が読み取った原稿のプレビュー画像を携帯端末で確認し、確認したプレビュー画像の印刷画像を他の画像形成装置で印刷する操作手順を示す図である。
【図４】本発明の実施形態に係る画像形成装置が読み取った原稿のプレビュー画像を携帯端末で確認し、確認したプレビュー画像の印刷画像を他の画像形成装置で印刷する詳細な処理手順を示すフローチャートである。
【発明を実施するための形態】
【０００９】
以下、本発明を実施するための形態（以下、「実施形態」という）を、図面を参照して説明する。実施形態では、ユーザーが携帯端末の操作により画像形成装置の原稿台にセットした原稿の画像を作成して画像形成装置に保存する。ユーザーが携帯端末から画像形成装置にプレビュー画像を要求すると、画像形成装置が保存している画像からプレビュー画像を作成して携帯端末に送信し、画像形成装置がプレビュー画像を削除する。ユーザーは、プレビュー画像を確認すると、携帯端末から画像形成装置に印刷画像を要求し、画像形成装置が保存している画像から印刷画像を作成して携帯端末に送信すると、画像形成装置が印刷画像を削除する。このように、画像形成装置は原稿から読み取った画像だけを保存するものである。
【００１０】
まず、本実施形態の画像形成システム１０のシステム構成について、図１を用いて説明する。図１に示すように、画像形成システム１０は、画像形成装置１００、複数の携帯端末２００、アクセスポイント３００、ネットワーク４００、ルーター５００、インターネット６００、アクセスポイント７００、画像形成装置８００、及び画像形成装置９００により構成されている。画像形成装置１００、アクセスポイント３００、及び画像形成装置８００は、ネットワーク４００に接続され、ネットワーク４００はルーター５００を経由してインターネット６００に接続されている。アクセスポイント７００と画像形成装置９００は、インターネット６００に接続されている。
【００１１】
画像形成装置１００は、プリンター、多機能プリンター、多機能周辺装置、又は複合機であり、近距離無線通信、アクセスポイント３００、又はインターネット６００により携帯端末２００とデータの送受信を行うことができる。なお、画像形成装置８００は、画像形成装置１００に同じである。また、画像形成装置９００は、プリンター、多機能プリンター、多機能周辺装置、又は複合機であり、近距離無線通信、アクセスポイント７００、又はネットワーク４００により携帯端末２００とデータの送受信を行うことができる。
【００１２】
携帯端末２００は、携帯電話、スマートフォン、又はタブレット端末等であり、近距離無線通信、ネットワーク４００のアクセスポイント３００、又はインターネット６００のアクセスポイント７００により画像形成装置１００、画像形成装置８００、又は画像形成装置９００とデータの送受信を行うことができる。
【００１３】
アクセスポイント３００は、ネットワーク４００に接続され、無線通信によりアクセスポイント３００に対して接続要求を行っている携帯端末２００をネットワーク４００に接続する。
【００１４】
ネットワーク４００は、ＬＡＮ（Local Area Network）などのネットワーク(イントラネット等)であり、画像形成装置１００、画像形成装置８００、及びアクセスポイント３００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、複数の携帯端末２００がアクセスポイント７００を経由して接続する。
【００１７】
次に、画像形成システム１０の画像形成装置１００と携帯端末２００の機能構成について、図２を用いて説明する。図２に示す画像形成装置１００と携帯端末２００は、図１に示す画像形成システム１０において、ネットワーク４００に接続する画像形成装置１００と、アクセスポイント３００によりネットワーク４００に接続する１台の携帯端末２００の機能構成を示す。また、図１に示す画像形成装置８００と画像形成装置９００についても画像形成装置１００と同様の機能構成であり、他の携帯端末２００についても携帯端末２００と同様の機能構成である。
【００１８】
まず、画像形成装置１００の機能構成について、説明する。図２に示す画像形成装置１００は、制御部１１０、記憶部１２０、保存部１３０、操作パネル１４０、操作パネル処理部１５０、原稿読取部１６０、画像処理部１７０、印刷部１８０、近距離無線通信部１９１、及びネットワーク通信部１９２を備え、これら各部はバスなどにより接続される構成となっている。制御部１１０には、原稿画像保存処理部１１０ａ、プレビュー画像作成処理部１１０ｂ、プレビュー画像送信処理部１１０ｃ、印刷画像作成処理部１１０ｄ、印刷画像送信処理部１１０ｅが設けられている。記憶部１２０には、プレビュー画像一時記憶エリア１２０ａと印刷画像一時記憶エリア１２０ｂとが設けられている。保存部１３０には、画像保存ボックス１３０ａが設けられている。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
原稿画像保存処理部１１０ａは、原稿読取部１６０により原稿から読み取った原稿イメージを画像処理部１７０により画像処理を行って作成した原稿の画像を画像保存ボックス１３０ａに保存する。
プレビュー画像作成処理部１１０ｂは、画像保存ボックス１３０ａから指定された画像を取り出し、取り出した画像からプレビュー画像を作成し、プレビュー画像一時記憶エリア１２０ａに記憶する。
プレビュー画像送信処理部１１０ｃは、プレビュー画像一時記憶エリア１２０ａからプレビュー画像を取り出し、携帯端末２００に送信する。
印刷画像作成処理部１１０ｄは、画像保存ボックス１３０ａから指定された画像を取り出し、取り出した画像から印刷画像を作成し、印刷画像一時記憶エリア１２０ｂに記憶する。
印刷画像送信処理部１１０ｅは、印刷画像一時記憶エリア１２０ｂから印刷画像を取り出し、携帯端末２００に送信する。
【００２０】
記憶部１２０は、フラッシュメモリー等の補助記憶装置で、制御部１１０が実行する処理のプログラムやデータを一時的に記憶する。
プレビュー画像一時記憶エリア１２０ａは、プレビュー画像作成処理部１１０ｂが作成したプレビュー画像を記憶する。
印刷画像一時記憶エリア１２０ｂは、印刷画像作成処理部１１０ｄが作成した印刷画像を一時的に記憶する。
【００２１】
保存部１３０は、データやプログラムを保存するハードディスクドライブである。
画像保存ボックス１３０ａは、原稿読取部１６０から読み取った原稿の画像、ネットワーク通信部１９２を経由して画像形成装置８００、画像形成装置９００、又は携帯端末２００から受信した画像を保存する。なお、画像保存ボックス１３０ａに保存される画像は、元の原稿に設定された名前や画像を受信したときに設定された名前など（以下、「識別名」という）により区別することができる。
【００２２】
操作パネル１４０は、画像形成装置１００が備えている機能に対する操作項目や操作画面の表示、ユーザーによる操作の受け付け、及び画像形成装置１００からのメッセージの表示を行う液晶パネルである。
【００２３】
操作パネル処理部１５０は、画像形成装置１００が備えている機能に対する操作項目や操作画面を操作パネル１４０に表示する処理、操作パネル１４０からユーザーの操作を入力する処理、及び画像形成装置１００からのメッセージを表示する処理を行う。
【００２４】
原稿読取部１６０は、ユーザーによる操作パネル１４０からの読み取り操作、又は原稿画像保存処理部１１０ａからの要求により、画像形成装置１００の原稿台にセットされた原稿の読み取りを行い、読み取った原稿イメージを画像処理部１７０に出力する。
【００２５】
画像処理部１７０は、原稿読取部１６０が読み取った原稿イメージを入力すると、画像形成装置１００で処理可能な画像に変換する。
【００２６】
印刷部１８０は、印刷要求のあった画像を入力し、コピー用紙などに印刷する。
【００２７】
近距離無線通信部１９１は、近距離無線通信規格であるBluetooth（登録商標）や赤外線通信により携帯端末２００と近距離での直接通信を行う。
【００２８】
ネットワーク通信部１９２は、着脱可能なＬＡＮインターフェイスを備え、ネットワーク４００に接続する。
【００２９】
次に、携帯端末２００の機能構成について、説明する。図２に示す携帯端末２００は、制御部２１０、記憶部２２０、操作パネル２３０、操作パネル処理部２４０、近距離無線通信部２５０、及びネットワーク通信部２６０を備え、これら各部はバスなどにより接続される構成となっている。制御部２１０には、原稿画像保存要求処理部２１０ａ、プレビュー画像要求処理部２１０ｂ、プレビュー画像表示処理部２１０ｃ、印刷画像要求処理部２１０ｄ、及び印刷画像印刷要求処理部２１０ｅが設けられている。記憶部２２０には、プレビュー画像記憶エリア２２０ａと印刷画像記憶エリア２２０ｂが設けられている。
【００３０】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な携帯端末２００の制御を行う。
原稿画像保存要求処理部２１０ａは、画像形成装置１００に対して原稿の読み込みと、読み込んだ原稿イメージを画像処理した原稿の画像を保存する要求を行う。
プレビュー画像要求処理部２１０ｂは、画像形成装置１００に対してプレビュー画像を要求し、画像形成装置１００から受信したプレビュー画像を記憶する。
プレビュー画像表示処理部２１０ｃは、プレビュー画像を操作パネル２３０に表示する。
印刷画像要求処理部２１０ｄは、画像形成装置１００に対して印刷画像を要求し、画像形成装置１００から受信した印刷画像を記憶する。
印刷画像印刷要求処理部２１０ｅは、画像形成装置１００、画像形成装置８００、又は画像形成装置９００に対して印刷画像の印刷を要求する。
【００３１】
記憶部２２０は、フラッシュメモリー等の補助記憶装置で、制御部２１０が実行する処理のプログラムやデータを記憶する。
プレビュー画像記憶エリア２２０ａは、画像形成装置１００から受信するプレビュー画像を複数記憶する。なお、プレビュー画像をプレビュー画像記憶エリア２２０ａに記憶するときに、識別名がプレビュー画像に付けられて記憶される。
印刷画像記憶エリア２２０ｂは、画像形成装置１００から受信する印刷画像を複数記憶する。なお、印刷画像を印刷画像記憶エリア２２０ｂに記憶するときに、識別名が印刷画像に付けられて記憶される。
【００３２】
操作パネル２３０は、携帯端末２００が備えている機能に対する操作項目や操作画面の表示、ユーザーによる操作の受け付け、プレビュー画像の表示、及び携帯端末２００からのメッセージの表示を行う液晶パネルである。
【００３３】
操作パネル処理部２４０は、携帯端末２００が備えている機能に対する操作項目や操作画面を操作パネル２３０に表示する処理、操作パネル２３０からユーザーの操作を入力する処理、レビュー画像を表示する処理、及び携帯端末２００からのメッセージを表示する処理を行う。
【００３４】
近距離無線通信部２５０は、近距離無線通信規格であるBluetooth（登録商標）や赤外線通信により画像形成装置１００、画像形成装置８００、又は画像形成装置９００と近距離での直接通信を行う。
【００３５】
ネットワーク通信部２６０は、アクセスポイント３００を経由してネットワーク４００に接続する。また、ネットワーク通信部２６０は、アクセスポイント７００を経由してインターネット６００に接続する。
【００３６】
次に、実施形態における画像形成装置１００が読み取った原稿のプレビュー画像を携帯端末２００で確認した後に、プレビュー画像の元の画像から作成する印刷画像を画像形成装置８００又は画像形成装置９００が印刷する操作手順について、図３を用いて説明する。
【００３７】
まず、図３（１）に示すように、ユーザーが画像形成装置１００の原稿台に原稿をセットし、ユーザーが携帯端末２００の操作パネル２３０から原稿印刷画面８０を表示する操作を行う。
【００３８】
次いで、図３（２）に示すように、操作パネル２３０に原稿印刷画面８０が表示される。ユーザーが原稿印刷画面８０の「原稿画像保存」ボタン８１をポイントすると、携帯端末２００は、原稿画像保存要求通知を画像形成装置１００に送信する。画像形成装置１００が原稿画像保存要求通知を受信すると、画像形成装置１００が原稿台にセットされている原稿の原稿イメージを読み取り、原稿イメージを画像処理した原稿の画像を画像保存ボックス１３０ａに保存する。
【００３９】
次いで、図３（３）に示すように、画像形成装置１００は、原稿画像保存完了通知を携帯端末２００に送信する。携帯端末２００が原稿画像保存完了通知を受信すると、原稿印刷画面８０のメッセージ表示エリア８５に原稿の画像が保存されたことを通知する「原稿の画像を保存しました。」などのメッセージを表示する。
【００４０】
次いで、図３（４）に示すように、ユーザーが原稿印刷画面８０の「プレビュー画像表示」ボタン８２をポイントすると、携帯端末２００は、原稿の識別名を格納したプレビュー画像要求通知を画像形成装置１００に送信する。
【００４１】
次いで、画像形成装置１００がプレビュー画像要求通知を受信すると、画像形成装置１００がプレビュー画像要求通知に格納された識別名の画像を画像保存ボックス１３０ａから取り出す。そして、画像形成装置１００がこの画像からプレビュー画像を作成すると、図３（５）に示すように、プレビュー画像を携帯端末２００に送信し、送信が完了するとプレビュー画像を削除する。携帯端末２００がプレビュー画像を受信すると、操作パネル２３０にプレビュー画像と「確認」ボタン８６を表示する。
【００４２】
次いで、ユーザーが操作パネル２３０に表示されたプレビュー画像を確認し、「確認」ボタン８６をポイントすると、図３（６）に示すように操作パネル２３０に再び原稿印刷画面８０が表示される。ユーザーが原稿印刷画面８０の「印刷画像取得」ボタン８３をポイントすると、携帯端末２００は、原稿の識別名を格納した印刷画像要求通知を画像形成装置１００に送信する。
【００４３】
次いで、画像形成装置１００が印刷画像取得要求通知を受信すると、画像形成装置１００が印刷画像要求通知に格納された識別名の画像を画像保存ボックス１３０ａから取り出する。そして、画像形成装置１００がこの画像から印刷画像を作成すると、図３（７）に示すように、印刷画像を携帯端末２００に送信し、送信が完了すると印刷画像を削除する。携帯端末２００が印刷画像を受信すると、原稿印刷画面８０のメッセージ表示エリア８５に印刷画像を受信したことを通知する「印刷画像を受信しました。」などのメッセージを表示する。
【００４４】
次いで、ユーザーが原稿印刷画面８０の「印刷画像印刷」ボタン８４をポイントすると、図３（８）に示すように、携帯端末２００が操作パネル２３０に画像形成装置選択画面９０を表示する。
【００４５】
次いで、ユーザーが画像形成装置選択画面９０の「画像形成装置Ｂ」ボタン９２又は「画像形成装置Ｃ」ボタン９３をポイントすると、「画像形成装置Ｂ」に対応する画像形成装置８００、又は「画像形成装置Ｃ」に対応する画像形成装置９００が印刷画像を印刷する画像形成装置として設定される。そして、携帯端末２００は、図３（９）に示すように、印刷画像を格納した印刷画像印刷要求通知を設定された画像形成装置８００又は画像形成装置９００に送信する。
【００４６】
次いで、画像形成装置８００又は画像形成装置９００が印刷画像印刷要求通知を受信すると、画像形成装置８００又は画像形成装置９００は、図３（１０）に示すように、印刷画像印刷要求通知から印刷画像を取り出して印刷画像の印刷を行う。
【００４７】
次に、実施形態における画像形成装置１００が読み取った原稿のプレビュー画像を携帯端末２００で確認した後に、プレビュー画像の印刷画像を画像形成装置８００又は画像形成装置９００が印刷する処理手順について、図４のフローチャートを用いて更に詳しく説明する。
【００４８】
（ステップＳ１０１）
まず、ユーザーが画像形成装置１００の原稿台に原稿をセットし、携帯端末２００の操作パネル２３０から原稿印刷画面８０を表示する操作を行う。
【００４９】
（ステップＳ１０２）
次いで、操作パネル処理部２４０が原稿印刷画面８０を操作パネル２３０に表示し、ユーザーが原稿印刷画面８０から「原稿画像保存」８１をポイントすると、操作パネル処理部２４０から原稿画像保存要求が制御部２１０に出力される。
【００５０】
（ステップＳ１０３）
次いで、制御部２１０は、原稿画像保存要求を入力すると、原稿画像保存要求処理部２１０ａを起動し、原稿画像保存要求処理部２１０ａが原稿画像保存要求通知を画像形成装置１００に送信する。
【００５１】
（ステップＳ１０４）
次いで、画像形成装置１００が原稿画像保存要求通知を受信すると、制御部１１０が原稿画像保存処理部１１０ａを起動し、原稿画像保存処理部１１０ａが原稿読取部１６０により原稿台の原稿の原稿イメージを読み取り、画像処理部１７０により原稿イメージの画像処理を行った原稿の画像を画像保存ボックス１３０ａに保存する。
【００５２】
（ステップＳ１０５）
次いで、原稿画像保存処理部１１０ａは、原稿画像保存完了通知を携帯端末２００に送信する。
【００５３】
（ステップＳ１０６）
次いで、携帯端末２００が原稿画像保存完了通知を受信すると、操作パネル処理部２４０は、原稿印刷画面８０のメッセージ表示エリア８５に原稿画像保存完了の「原稿画像を保存しました。」などのメッセージを表示する。
【００５４】
（ステップＳ１０７）
次いで、ユーザーが原稿印刷画面８０から「プレビュー画像表示」８２をポイントすると、操作パネル処理部２４０からプレビュー画像要求が制御部２１０に出力される。
【００５５】
（ステップＳ１０８）
次いで、制御部２１０は、プレビュー画像要求を入力すると、プレビュー画像要求処理部２１０ｂを起動し、プレビュー画像要求処理部２１０ｂは、元の原稿の識別名を格納したプレビュー画像要求通知を画像形成装置１００に送信する。
【００５６】
（ステップＳ１０９）
次いで、画像形成装置１００がプレビュー画像要求通知を受信すると、制御部１１０は、プレビュー画像作成処理部１１０ｂを起動する。プレビュー画像作成処理部１１０ｂは、画像保存ボックス１３０ａからプレビュー画像要求通知に格納された元の原稿の識別名の画像を取り出し、取り出した画像からプレビュー画像を作成する。そして、プレビュー画像作成処理部１１０ｂは、プレビュー画像をプレビュー画像一時記憶エリア１２０ａに記憶すると、プレビュー画像作成処理を終了する。
【００５７】
（ステップＳ１１０）
次いで、制御部１１０は、プレビュー画像作成処理部１１０ｂが終了したことを検出すると、プレビュー画像送信処理部１１０ｃを起動する。プレビュー画像送信処理部１１０ｃは、プレビュー画像一時記憶エリア１２０ａからプレビュー画像を取り出し、携帯端末２００に送信する。また、プレビュー画像送信処理部１１０ｃは、プレビュー画像の送信が完了すると、プレビュー画像一時記憶エリア１２０ａのプレビュー画像を削除する。
【００５８】
（ステップＳ１１１）
次いで、携帯端末２００が画像形成装置１００からプレビュー画像を受信すると、プレビュー画像要求処理部２１０ｂは、受信したプレビュー画像をプレビュー画像記憶エリア２２０ａに記憶し、プレビュー画像要求処理を終了する。
【００５９】
（ステップＳ１１２）
次いで、制御部２１０は、プレビュー画像要求処理部２１０ｂが終了したことを検出すると、プレビュー画像表示処理部２１０ｃを起動する。プレビュー画像表示処理部２１０ｃは、プレビュー画像一時記憶エリア１２０ａからプレビュー画像を取り出し、取り出したプレビュー画像と「確認」ボタン８６を合成した画像を作成し、操作パネル処理部２４０により操作パネル２３０に表示する。
【００６０】
（ステップＳ１１３）
次いで、プレビュー画像表示処理部２１０ｃは、「確認」ボタン８６がポイントされたことを操作パネル処理部２４０から通知されるまで待ち状態とし、「確認」ボタン８６がポイントされたことを通知されるとステップＳ１１４に進む。
【００６１】
（ステップＳ１１４）
次いで、プレビュー画像表示処理部２１０ｃは、操作パネル２３０に表示されているプレビュー画像と「確認」ボタン８６を合成した画像を消去し、原稿印刷画面８０を再び表示する。
【００６２】
（ステップＳ１１５）
次いで、ユーザーが原稿印刷画面８０から「印刷画像取得」８３をポイントすると、操作パネル処理部２４０から印刷画像要求が制御部２１０に出力される。
【００６３】
（ステップＳ１１６）
次いで、制御部２１０は、印刷画像要求を入力すると、印刷画像要求処理部２１０ｄを起動し、印刷画像要求処理部２１０ｄが元の原稿の識別名を格納した印刷画像要求通知を画像形成装置１００に送信する。
【００６４】
（ステップＳ１１７）
次いで、画像形成装置１００が印刷画像取得要求通知を受信すると、制御部１１０は、印刷画像作成処理部１１０ｄを起動する。印刷画像作成処理部１１０ｄは、画像保存ボックス１３０ａから印刷画像要求通知に格納された元の原稿の識別名の画像を取り出し、取り出した画像から印刷画像を作成する。そして、印刷画像作成処理部１１０ｄは、印刷画像を印刷画像一時記憶エリア１２０ｂに記憶すると、印刷画像作成処理を終了する。
【００６５】
（ステップＳ１１８）
次いで、制御部１１０は、印刷画像作成処理部１１０ｄが終了したことを検出すると、印刷画像送信処理部１１０ｅを起動する。印刷画像送信処理部１１０ｅは、印刷画像一時記憶エリア１２０ｂから印刷画像を取り出し、携帯端末２００に送信する。また、印刷画像送信処理部１１０ｅは、印刷画像の送信が完了すると、印刷画像一時記憶エリア１２０ｂの印刷画像を削除する。
【００６６】
（ステップＳ１１９）
次いで、携帯端末２００が印刷画像形成装置１００から印刷画像を受信すると、画像要求処理部２１０ｄは、受信した印刷画像を印刷画像記憶エリア２２０ｂに記憶し、印刷画像要求処理を終了する。
【００６７】
（ステップＳ１２０）
次いで、ユーザーが携帯端末２００から原稿印刷画面８０の「印刷画像印刷」８４をポイントすると、操作パネル処理部２４０が操作パネル２３０に画像形成装置選択画面９０を表示する。
【００６８】
（ステップＳ１２１）
次いで、ユーザーが画像形成装置選択画面９０の「画像形成装置Ｂ」ボタン９２又は「画像形成装置Ｃ」ボタン９３をポイントすると、ポイントされた「画像形成装置Ｂ」又は「画像形成装置Ｃ」が印刷画像を印刷する画像形成装置として設定される。そして、操作パネル処理部２４０から印刷画像印刷要求と設定された「画像形成装置Ｂ」又は「画像形成装置Ｃ」が出力される。
【００６９】
（ステップＳ１２２）
次いで、制御部２１０は、印刷画像印刷要求と設定された「画像形成装置Ｂ」又は「画像形成装置Ｃ」を入力すると、印刷画像印刷要求処理部２１０ｅを起動する。印刷画像印刷要求処理部２１０ｅは、印刷画像記憶エリア２２０ｂから印刷画像を取り出し、取り出した印刷画像を格納した印刷画像印刷要求通知を、「画像形成装置Ｂ」に対応する画像形成装置８００、又は「画像形成装置Ｃ」に対応する画像形成装置９００に送信する。
【００７０】
（ステップＳ１２３）
次いで、画像形成装置８００又は画像形成装置９００が印刷画像印刷要求通知を受信すると、印刷画像印刷要求通知から印刷画像を取り出し、印刷部１８０により印刷画像を印刷する。
【００７１】
以上により、画像形成装置１００は、プレビュー画像や印刷画像の送信が完了した後に、プレビュー画像や印刷画像を削除するので、原稿のプレビュー画像や印刷画像が画像形成装置１００に記憶されたままとなることによるメモリーやディスクなどの記憶領域の空き容量の減少を防止できる。また、同じ画像から設定を変えてプレビュー画像が何回も作成された場合でも、画像形成装置１００にはプレビュー画像が記憶されないので、プレビュー画像が記憶されることによる記憶領域の不足を防止できる。また、複数の画像形成装置が保存している画像から作成したプレビュー画像や印刷画像を携帯端末２００に記憶することで、携帯端末２００が複数の画像形成装置のプレビュー画像や印刷画像を記憶する共有の装置となる。これにより、ユーザーがどこに移動しても、携帯端末２００から複数の画像形成装置が保存している画像のプレビュー画像を確認することができる。また、ユーザーがどこに移動しても、携帯端末２００から複数の画像形成装置が保存している画像の印刷画像を、ユーザーの移動先に設置されている画像形成装置から印刷することができる。
【００７２】
なお、実施形態においては、画像形成装置１００は、携帯端末２００から原稿画像保存要求通知を受信すると、原稿台にセットされた原稿を読み取り、この原稿の画像を画像保存ボックス１３０ａに保存し、この画像からプレビュー画像と印刷画像を作成して携帯端末２００に送信するが、これに限定されない。例えば、画像形成装置１００に保存されている画像からプレビュー画像と印刷画像を作成して携帯端末２００に送信することも可能である。
また、実施形態においては、画像形成装置１００は、プレビュー画像と印刷画像を作成して送信して、送信した画像を削除するが、これに限定されない。例えば、画像形成装置１００にＦＡＸ画像作成処理部とＦＡＸ画像送信処理部を設けて、ＦＡＸ画像を作成して携帯端末２００に送信して、送信したＦＡＸ画像を削除ことも可能である。すなわち、画像形成装置１００は、それぞれ異なる出力形式に対応した複数の出力画像作成処理部と複数の出力画像送信処理部を備えることが可能であり、原稿の画像にからそれぞれ異なる出力形式に対応する複数の出力画像を作成して携帯端末２００に送信して、送信した出力画像を削除することも可能である。
また、実施形態においては、画像形成装置１００は、プレビュー画像要求に応じてプレビュー画像を作成し、印刷画像要求に応じて印刷画像を作成し、それぞれ携帯端末２００に送信するが、これに限定されない。例えば、携帯端末２００から画像要求を画像形成装置１００に送信し、画像形成装置１００は、画像要求に応じてプレビュー画像と印刷画像を作成して両方を携帯端末２００に送信することも可能である。すなわち、携帯端末２００に出力画像要求部を設け、画像形成装置１００にそれぞれ異なる出力形式に対応した複数の出力画像作成処理部と複数の出力画像送信処理部を設けることが可能である。携帯端末２００の出力画像要求部は、出力画像を要求する出力画像要求通知を画像形成装置１００に送信し、画像形成装置１００では、複数の出力画像作成処理部の全てが対応する出力形式の出力画像を作成し、複数の出力画像送信処理部がそれぞれ対応する出力画像を送信することも可能である。この場合、画像形成装置１００で作成可能な複数の出力形式に対応する出力画像を携帯端末２００に一括して送信することができる。なお、画像形成装置１００は、全ての出力形式に対応する出力画像を作成し、送信してもよいし、１または複数の出力形式を指定する指示を含む出力画像要求通知により、指定された出力形式に対応する出力画像を作成し、送信してもよい。
【００７３】
また、実施形態においては、画像形成装置１００と携帯端末２００とをネットワーク４００で接続し、ネットワーク４００により携帯端末２００と画像形成装置１００はデータの送受信を行うが、これに限定されない。例えば、画像形成装置１００の近距離無線通信部１９１と携帯端末２００の近距離無線通信部２５０により、画像形成装置１００と携帯端末２００とを近距離無線通信で接続し、この近距離無線通信により携帯端末２００と画像形成装置１００がデータの送受信することも可能である。また、画像形成装置１００と携帯端末２００をインターネット６００により接続し、インターネット６００の通信プロトコルを用いて、画像形成装置１００と携帯端末２００がデータの送受信することも可能である。
【００７４】
また、実施形態においては、画像形成装置１００が画像からプレビュー画像と印刷画像を作成するが、これに限定されない。例えば、携帯端末２００が画像形成装置１００から画像を受信して、この画像からプレビュー画像と印刷画像を作成することも可能である。
【００７５】
また、実施形態においては、プレビュー画像と「確認」ボタン８６を合成した画像を作成して操作パネル２３０に表示するが、これに限定されない。例えば、操作パネル２３０にはプレビュー画像だけを表示し、携帯端末２００が備えている「決定」ボタンなどを「確認」ボタン８６の代わりに用いることも可能である。
【００７６】
また、実施形態においては、携帯端末２００は無線通信により画像形成装置１００からプレビュー画像と印刷画像を受信するが、これに限定されない。例えば、携帯端末２００を携帯可能なＰＣ（パソコン）とし、このＰＣをネットワーク４００に直接接続して画像形成装置１００からプレビュー画像と印刷画像を受信することも可能である。
【００７７】
また、実施形態においては、携帯端末２００は、画像形成装置１００から受信した印刷画像を画像形成装置８００又は画像形成装置９００を用いて印刷するが、これに限定されない。例えば、印刷画像を画像形成装置８００又は画像形成装置９００を用いてＦＡＸ送信することも可能である。
【００７８】
このような本発明の画像形成システム、及び画像形成装置は、画像形成装置が保存している画像から作成するプレビュー画像及び印刷画像を携帯端末だけに記憶することで、画像形成装置の記憶領域の空き容量を減少させないようにし、更にどの画像形成装置からでも携帯端末が記憶している印刷画像の印刷やＦＡＸ送信を行うことができる。
【００７９】
以上、具体的な実施の形態により本発明を説明したが、上記実施の形態は本発明の例示であり、この実施の形態に限定されないことは言うまでもない。
【産業上の利用可能性】
【００８０】
本発明の画像形成システム、及び画像形成装置は、画像形成装置と接続可能な携帯端末及びこのような携帯端末を備えるあらゆるシステムに適用できる。
【符号の説明】
【００８１】
１０・・・・・画像形成システム
８０・・・・・原稿印刷画面
８１・・・・・「原稿画像保存」ボタン
８２・・・・・「プレビュー画像表示」ボタン
８３・・・・・「印刷画像取得」ボタン
８４・・・・・「印刷画像印刷」ボタン
８５・・・・・メッセージ表示エリア
８６・・・・・「確認」ボタン
９０・・・・・画像形成装置選択画面
９１・・・・・「画像形成装置Ａ」ボタン
９２・・・・・「画像形成装置Ｂ」ボタン
９３・・・・・「画像形成装置Ｃ」ボタン
１００・・・・・画像形成装置
１１０・・・・・制御部
１１０ａ・・・・原稿画像保存処理部
１１０ｂ・・・・プレビュー画像作成処理部
１１０ｃ・・・・プレビュー画像送信処理部
１１０ｄ・・・・印刷画像作成処理部
１１０ｅ・・・・印刷画像送信処理部
１２０・・・・・記憶部
１２０ａ・・・・プレビュー画像一時記憶エリア
１２０ｂ・・・・印刷画像一時記憶エリア
１３０・・・・・保存部
１３０ａ・・・・画像保存ボックス
１４０・・・・・操作パネル
１５０・・・・・操作パネル処理部
１６０・・・・・原稿読取部
１７０・・・・・画像処理部
１８０・・・・・印刷部
１９１・・・・・近距離無線通信部
１９２・・・・・ネットワーク通信部
２００・・・・・携帯端末
２１０・・・・・制御部
２１０ａ・・・・原稿画像保存要求処理部
２１０ｂ・・・・プレビュー画像要求処理部
２１０ｃ・・・・プレビュー画像表示処理部
２１０ｄ・・・・印刷画像要求処理部
２１０ｅ・・・・印刷画像印刷要求処理部
２２０・・・・・記憶部
２２０ａ・・・・プレビュー画像記憶エリア
２２０ｂ・・・・印刷画像記憶エリア
２３０・・・・・操作パネル
２４０・・・・・操作パネル処理部
２５０・・・・・近距離無線通信部
２６０・・・・・ネットワーク通信部
３００・・・・・アクセスポイント
４００・・・・・ネットワーク
５００・・・・・ルーター
６００・・・・・インターネット
７００・・・・・アクセスポイント
８００・・・・・画像形成装置
９００・・・・・画像形成装置
【図１】
2016158141.tif 000003
【図２】
2016158141.tif 000004
【図３】
2016158141.tif 000005
【図４】
2016158141.tif 000006